(57)【要約】【課題】補助的機能を備えた光パルス試験器において、複数本の光ファイバに対する処理を行なう際の作業効率を向上させる。【解決手段】光ファイバに入射した光パルスの戻り光パワーの時間分布を測定するＯＴＤＲ機能を備えた光パルス試験器であって、ＯＴＤＲ機能の実行に関する情報を表示するＯＴＤＲ測定画面上に、光ファイバの測定に関する補助的機能を呼び出すためのメニューを表示し、呼び出された補助的機能の実行に関する情報を表示するサブ画面をＯＴＤＲ測定画面上に表示する。【選択図】図１
2016057119.tif 000002
【特許請求の範囲】
【請求項１】
光ファイバに入射した光パルスの戻り光パワーの時間分布を測定するＯＴＤＲ機能を備えた光パルス試験器であって、
前記ＯＴＤＲ機能の実行に関する情報を表示するＯＴＤＲ測定画面上に、光ファイバの測定に関する補助的機能を呼び出すためのメニューを表示し、
呼び出された補助的機能の実行に関する情報を表示するサブ画面を前記ＯＴＤＲ測定画面上に表示することを特徴とする光パルス試験器。
【請求項２】
前記呼び出された補助的機能の実行に際し、前記ＯＴＤＲ機能は実行を中断しないことを特徴とする請求項１に記載の光パルス試験器。
【請求項３】
前記補助的機能は、測定光を連続発光する安定化光源機能、可視光を発光する可視光源機能、入射した光のパワーを測定する光パワーメータ機能、ファイバ端面検査機能のいずれかを含むことを特徴とする請求項１または２に記載の光パル試験器。
【請求項４】
前記補助的機能を呼び出すためのメニューは、所定の操作によりポップアップ式で表示されることを特徴とする請求項１〜３のいずれか１項に記載の光パル試験器。
【発明の詳細な説明】
【技術分野】
【０００１】
本発明は、ＯＴＤＲ測定を行なう光パルス試験器に係り、特に、光パワーメータ機能、ファイバ端面検査機能等の補助的機能を備えた光パルス試験器に関する。
【背景技術】
【０００２】
光信号によってデータ通信等を行なう光通信システムでは、光ファイバが光信号を伝送する媒体として用いられている。光ファイバの敷設、支障移転、保守等においては、光ファイバの長さ、接続箇所の損失、反射等を評価する必要があるが、そのための測定器として光パルス試験器（ＯＴＤＲ：Optical Time Domain Reflectometer）が使用される。光パルス試験器は、光コネクタに接続された被測定光ファイバに測定光である光パルスを入射し、後方散乱光やフレネル反射で入射端に戻ってくる光のパワーを時間領域で測定し、表示・解析等を行なう装置である。
【０００３】
後方散乱光等は反射点からの距離に比例した遅延時間で入射側に戻り、融着点、コネクタ接続点、分岐点、曲げ点、切断点等で特徴的な波形を描くことから、得られた光パワーの波形から、融着点、コネクタ接続点、分岐点、曲げ点、切断点等のイベントを検出し、その距離を測定することが行なわれている。
【０００４】
光パルス試験器は、戻り光パワーの時間分布を解析する本来のＯＴＤＲ機能に加えて、種々の補助的機能を備えているものが実用化されている。補助的機能は、例えば、安定化光源機能、可視光源機能、光パワーメータ機能、ファイバ端面検査機能等である。
【０００５】
ここで、安定化光源機能は、光コネクタから測定光を連続発光する機能であり、例えば、損失測定用光源として用いることができる。可視光源機能は、光コネクタから可視光を連続発光する機能であり、例えば、多心ファイバの心線確認や障害箇所の目視確認に用いることができる。
【０００６】
光パワーメータ機能は、光コネクタに接続した光ファイバから入射した光のパワーを測定する機能であり、例えば、開通試験時や障害発生時の光パワーの確認に用いることができる。
【０００７】
ファイバ端面検査機能は、光ファイバの端面の拡大表示等を行なう機能であり、光ファイバのコネクタの接続性の検査に利用することができる。端面検査は、ＵＳＢポートに接続された端面検査装置を利用して行なう。
【０００８】
図６は、複数の補助的機能を備えた従来の光パルス試験器のメニュー体系を説明する図である。本図に示すように、従来の光パルス試験器では、トップ画面に「ＯＴＤＲ測定」「安定化光源」「可視光源」「光パワーメータ」「端面検査」の機能を呼び出すためのメニュー項目を表示するようにしている。
【０００９】
例えば、「ＯＴＤＲ測定」が選択された場合には、ＯＴＤＲ測定画面が表示され、「安定化光源」が選択された場合には、光源を発光させるための画面が表示され、「光パワーメータ」が選択された場合には、入力された光パワーを表示する画面が表示される。ユーザは、測定目的に対応した機能のメニュー項目をトップ画面から選択することで、光パルス試験器に所望の機能を実行させることができる。
【先行技術文献】
【特許文献】
【００１０】
【特許文献１】特開平９−１４５５３８号公報
【発明の概要】
【発明が解決しようとする課題】
【００１１】
データセンター等では多心の光ファイバケーブルが使用されており、光ファイバの敷設、支障移転、保守等の作業においては、複数本の光ファイバそれぞれに対して定型的な一連の処理を順次行なうことが多い。
【００１２】
具体的な例としては、
１）ファイバ端面検査機能を用いた光ファイバの端面状態の検査
２）光パワーメータ機能を用いた光パワーの確認
３）ＯＴＤＲ機能を用いたＯＴＤＲ測定
というような手順を多数の光ファイバについて繰り返す。
【００１３】
従来の光パルス試験器を用いて、このような一連の作業を行なう場合には、
１）トップ画面から「端面検査」のメニュー項目を選択する。
１−１）ＵＳＢポートに接続された端面検査装置に光ファイバを接続する。
１−２）端面の状態を観察して問題がないことを確認する。
１−３）トップ画面に戻る。
２）トップ画面から「光パワーメータ」のメニュー項目を選択する。
２−１）パワーメータの受光ポートとして機能する光コネクタに光ファイバを接続する。なお、光ファイバの他端では別の作業者が光源装置を利用して測定光を入射する。
２−２）光パワーを測定してＯＴＤＲ測定が可能であることを確認する。
２−３）トップ画面に戻る。
３）トップ画面から「ＯＴＤＲ測定」のメニュー項目を選択する。
３−１）ＯＴＤＲ測定用の発光／受光ポートとして機能する光コネクタに光ファイバを接続する。
３−２）ＯＴＤＲ測定を実行し、測定結果を保存する。
３−３）トップ画面に戻る。
という作業を各光ファイバに対して繰り返す必要があった。
【００１４】
このため、トップ画面を経由した画面遷移を頻繁に行なわなくてはならず、操作が煩雑になるのに加え、ある機能を完了してから他の機能に移行するメニュー体系のため、各機能を単独で行なわざるを得ず、作業効率がよくない。
【００１５】
作業効率を上げるために、ある光ファイバについてのＯＴＤＲ測定中に、他の試験器を用いて次の光ファイバの端面検査を行なうというような運用を行なうことも考えられるが、複数台の試験器が必要となり、取り扱いが面倒であるとともに、非経済的である。
【００１６】
そこで、本発明は、補助的機能を備えた光パルス試験器において、複数本の光ファイバに対する処理を行なう際の作業効率を向上させることを目的とする。
【課題を解決するための手段】
【００１７】
上記課題を解決するため、本発明の光パルス試験器は、光ファイバに入射した光パルスの戻り光パワーの時間分布を測定するＯＴＤＲ機能を備えた光パルス試験器であって、前記ＯＴＤＲ機能の実行に関する情報を表示するＯＴＤＲ測定画面上に、光ファイバの測定に関する補助的機能を呼び出すためのメニューを表示し、呼び出された補助的機能の実行に関する情報を表示するサブ画面を前記ＯＴＤＲ測定画面上に表示することを特徴とする。
ここで、前記呼び出された補助的機能の実行に際し、前記ＯＴＤＲ機能は実行を中断しないことが望ましい。
また、前記補助的機能は、測定光を連続発光する安定化光源機能、可視光を発光する可視光源機能、入射した光のパワーを測定する光パワーメータ機能、ファイバ端面検査機能のいずれかを含むことができる。
また、前記補助的機能を呼び出すためのメニューは、所定の操作によりポップアップ式で表示されることができる。
【発明の効果】
【００１８】
本発明によれば、補助的機能を備えた光パルス試験器において、複数本の光ファイバに対する処理を行なう際の作業効率を向上させることができる。
【図面の簡単な説明】
【００１９】
【図１】本実施形態に係る光パルス試験器の構成を示すブロック図である。
【図２】操作受付部と表示部の外観例を示す図である。
【図３】ＯＴＤＲ測定画面とランチャーメニューとを示す図である。
【図４】ＯＴＤＲ測定画面上に表示される補助的機能のサブ画面を示す図である。
【図５】異なる光ファイバに対する並行処理を説明する図である。
【図６】複数の補助的機能を備えた従来の光パルス試験器のメニュー体系を説明する図である。
【発明を実施するための形態】
【００２０】
本発明の実施の形態について図面を参照して説明する。図１は、本実施形態に係る光パルス試験器１００の構成を示すブロック図である。光パルス試験器１００は、戻り光のパワーの時間分布を解析するＯＴＤＲ機能に加えて、補助的機能として、安定化光源機能、可視光源機能、光パワーメータ機能、ファイバ端面検査機能を備えている。本実施形態では、光パルス試験器１００が、複数本の光ファイバ２００に対して、ファイバ端面検査、光パワー測定、ＯＴＤＲ測定を順次行なう場合を例に説明する。
【００２１】
本図に示すように、光パルス試験器１００は、制御部１０１、光源／測定部１０２、光パワーメータ部１０３、ＯＴＤＲ測定部１０４、端面解析部１０５、発光／受光ポート１１０、可視光発光ポート１１１、受光ポート１２０、操作受付部１３０、表示部１４０、ＵＳＢポート１５０を備えている。
【００２２】
制御部１０１は、操作受付部１３０を介して受け付けたユーザの操作にしたがって、光パルス試験器１００における測定処理や各種動作の制御を行なう。
【００２３】
光源／測定部１０２は、ＯＴＤＲ機能実行時に発光／受光ポート１１０に接続された光ファイバ２００に出射する光の発光処理と戻り光の受光処理を行ない、安定化光源機能実行時に、発光／受光ポート１１０に接続された光ファイバ２００に出射する連続光の発光処理を行ない、可視光源機能実行時に可視光発光ポート１１１に接続された光ファイバ２００に出射する可視光の発光処理を行なう。
【００２４】
光パワーメータ部１０３は、光パワーメータ機能実行時に、受光ポート１２０に接続された光ファイバ２００から入射した光のパワーを測定する。なお、受光ポート１２０と可視光発光ポート１１１とを共通のポートとしてもよい。
【００２５】
ＯＴＤＲ測定部１０４は、ＯＴＤＲ機能実行時に、光源／測定部１０２の発光／受光処理の結果に基づいてＯＴＤＲ測定を行なう。
【００２６】
端面解析部１０５は、ファイバ端面検査機能実行時に、ＵＳＢポート１５０を介して端面検査装置１８０と接続し、端面検査装置１８０に接続された光ファイバ２００のコネクタ接続性の検査を行なう。
【００２７】
光パワーメータ部１０３とＯＴＤＲ測定部１０４と端面解析部１０５は、機能的に独立している。また、ＯＴＤＲ測定部１０４は、発光／受光ポート１１０に接続された光ファイバ２００に対するＯＴＤＲ測定を行ない、光パワーメータ部１０３は、受光ポート１２０に接続された光ファイバ２００についての光パワー測定を行ない、端面解析部１０５は、端面検査装置１８０に接続された光ファイバ２００の端面検査を行なう。このため、ＯＴＤＲ測定と光パワー測定と端面検査とは同時並行に行なうことができる。さらに、可視光出射もＯＴＤＲ測定と同時並行に行なうことができる。
【００２８】
操作受付部１３０は、ユーザからの各種操作を受け付け、表示部１４０は、制御部１０１の表示制御に基づいてメニューや測定結果等の表示を行なう。図２は、操作受付部１３０と表示部１４０の外観例を示す図である。本実施形態において、操作受付部１３０は、電源スイッチ１３１、ロータリノブ１３２、スケールキー１３３、方向・エンターキー１３４、セットアップ（ＳＥＴＵＰ）キー１３５、リアルタイム測定（ＲＥＡＬ  ＴＩＭＥ）キー１３６、平均化測定（ＡＶＥ）キー１３７、ファンクションキー１３８を備えている。
【００２９】
上記構成の光パルス試験器１００の特徴的なメニュー体系と動作について説明する。本実施形態の光パルス試験器１００では、図３（ａ）に示すように、メイン機能であるＯＴＤＲ測定画面に、補助的機能を選択するランチャーメニューを表示させるための矢印アイコン１４２を配置する。
【００３０】
そして、矢印アイコン１４２が選択されると、図３（ｂ）に示すように、ランチャーメニュー１４３がポップアップする。ランチャーメニュー１４３には、光パワーメータ機能を呼び出すための「ＯＰＭ」アイコン、安定化光源機能を呼び出すための「ＬＳ」アイコン、可視光源機能を呼び出すための「ＶＬＳ」アイコン、ファイバ端面検査機能を呼び出すための「ＦＩＰ」アイコンが含まれている。
【００３１】
このように、本実施形態の光パルス試験器１００では、ＯＴＤＲ測定実行中に、トップ画面に戻ることなく、各補助的機能を呼び出すことができる。このため、複数本の光ファイバに対する一連の作業を行なう場合にも頻繁な画面遷移を行なわなくてもよいため、操作の煩雑化を防ぐことができる。
【００３２】
ランチャーメニュー１４３からある補助的機能が呼び出されると、その補助的機能についてのサブ画面がＯＴＤＲ測定画面上に表示され、サブ画面において、補助的機能の実行が可能となる。そして、サブ画面表示中にも、ＯＴＤＲ測定は継続する。
【００３３】
例えば、ランチャーメニュー１４３で光パワーメータ機能を呼び出すための「ＯＰＭ」アイコンが選択されると、図４に示すように、ＯＴＤＲ測定画面１４１上に光パワー測定値を示す光パワー測定サブ画面１４４が表示される。また、ランチャーメニュー１４３で安定化光源機能を呼び出すための「ＬＳ」アイコンが選択されると、図４に示すように、ＯＴＤＲ測定画面１４１上に発光のＯＮ／ＯＦＦを指示する安定化光源発光サブ画面１４５が表示される。
【００３４】
また、ランチャーメニュー１４３で可視光源機能を呼び出すための「ＶＬＳ」アイコンが選択されると、図４に示すように、ＯＴＤＲ測定画面１４１上に発光のＯＮ／ＯＦＦを指示する可視光源発光サブ画面１４６が表示される。同様に、ランチャーメニュー１４３でファイバ端面検査機能を呼び出すための「ＦＩＰ」アイコンが選択されると、ＯＴＤＲ測定画面１４１上に端面検査サブ画面が表示される（不図示）。
【００３５】
ＯＴＤＲ機能を実行中には、発光／受光ポート１１０以外のポートを用いる補助的機能を同時並行に行なうことができる。具体的には、光パワーメータ機能、ファイバ端面検査機能、可視光源発光機能をＯＴＤＲ機能と同時並行に行なうことができる。このため、ある光ファイバ２００についてのＯＴＤＲ測定実行中に、他の光ファイバ２００の端面検査を行なったり、光パワー測定を行なうことが可能となる。
【００３６】
すなわち、図５に示すように、光ファイバ１に対して、端面検査を行ない、光パワー測定を行なった後、光ファイバ１に対するＯＴＤＲ測定を行なうとともに、光ファイバ２に対して、端面検査を行ない、光パワー測定を行なうことができる。その後、光ファイバ２に対するＯＴＤＲ測定を行なうとともに、光ファイバ３に対して、端面検査を行ない、光パワー測定を行なうことができる。
【００３７】
このように、本実施形態の光パルス試験器１００では、ある光ファイバに対するＯＴＤＲ測定を終了すると、すぐに次の光ファイバに対するＯＴＤＲ測定を行なうことができるため、作業効率が向上し、複数本の光ファイバに対する作業時間を短縮することができる。
【符号の説明】
【００３８】
１００…光パルス試験器、１０１…制御部、１０２…光源／測定部、１０３…光パワーメータ部、１０４…ＯＴＤＲ測定部、１０５…端面解析部、１１０…発光／受光ポート、１１１…可視光発光ポート、１２０…受光ポート、１３０…操作受付部、１４３…ランチャーメニュー、１４４…光パワー測定サブ画面、１４５…安定化光源発光サブ画面、１４６…可視光源発光サブ画面、１４０…表示部、１５０…ＵＳＢポート、１８０…端面検査装置、２００…光ファイバ
【図１】
2016057119.tif 000003
【図２】
2016057119.tif 000004
【図３】
2016057119.tif 000005
【図４】
2016057119.tif 000006
【図５】
2016057119.tif 000007
【図６】
2016057119.tif 000008